(57)【要約】【課題】線条体等の物品を少ない工数で容易に収容し、また、物品の飛び出し防止のための係止構造やテープ巻き等が不要で、低コストで使用可能な屈曲性外装部品を提供する。【解決手段】収容空間１２を囲む厚肉の壁部２〜４と、厚肉の壁部の一端に一体に続き、厚肉の壁部４の他端に接離自在に接する弾性の薄肉の壁部５と、厚肉の壁部を収容空間長手方向に複数に分割する並列なスリット６とを備えた屈曲性外装部品１を基本とする。厚肉の壁部を第一〜第三の壁部２〜４で構成し、薄肉の壁部をが、第一の壁部２の先端から立ち上げて第二の壁部３に対向させ、第三の壁部４の先端８ａに対して接離可能に位置させた。厚肉の壁部４の他端側に内向きの傾斜部８を形成した。薄肉の壁部５に接して厚肉の壁部２の一端側に、スリット６に続く孔部１１を設けた。【選択図】図１
2010011649.tif 000002
【特許請求の範囲】
【請求項１】
収容空間を囲む厚肉の壁部と、該厚肉の壁部の一端に一体に続き、該厚肉の壁部の他端に接離自在に接する弾性の薄肉の壁部と、該厚肉の壁部を収容空間長手方向に複数に分割する並列なスリットとを備えたことを特徴とする屈曲性外装部品。
【請求項２】
前記厚肉の壁部が第一〜第三の壁部で構成され、前記薄肉の壁部が、第一の壁部の先端から立ち上げられて第二の壁部に対向し、第三の壁部の先端に対して接離可能に位置したことを特徴とする請求項１記載の屈曲性外装部品。
【請求項３】
前記厚肉の壁部の他端側に内向きの傾斜部が形成されたことを特徴とする請求項１又は２記載の屈曲性外装部品。
【請求項４】
前記薄肉の壁部に接して前記厚肉の壁部の一端側に、前記スリットに続く孔部が設けられたことを特徴とする請求項１〜３の何れかに記載の屈曲性外装部品。
【発明の詳細な説明】
【技術分野】
【０００１】
本発明は、車両等に配索される電線やホース等を収容保護する屈曲性外装部品に関するものである。
【背景技術】
【０００２】
図５は、従来の屈曲性外装部品の一形態を示すものである（特許文献１参照）。
【０００３】
この外装部品３１は、合成樹脂材を押し出し成形して可撓性の長形の板材を形成し、板材をプレスで打ち抜き成形して長手直交方向の複数のスリット３２とスリット端の孔部３３とを等ピッチで並列に形成し、板材を矩形筒状に折り曲げ成形して、板材の側端部同士を突起と孔との差し込み３４で係止させ、底壁３５のみスリットのない可撓性の二重壁とし、底壁３５を除く部分を各スリット３２で長手方向に分離して複数のコの字状の周壁３６とし、底壁３５を屈曲内側として各周壁３６を各スリット３２からＶ字状に開かせて屈曲自在としたものである。
【０００４】
外装部品３１の内側空間には電線やホース等の線条材（図示せず）が屈曲自在に収容保護される。外装部品３１は例えば車両用ドア開閉装置や車両用スライドシートや車両用伝導サンルーフ等に適用される。電線で電力を供給し、ホースで圧縮空気等を供給する。外装部品は例えばポリプロピレン製の樹脂フィルムで形成される。
【特許文献１】特開２００８−２５７７５号公報（図１）
【発明の開示】
【発明が解決しようとする課題】
【０００５】
しかしながら、上記従来の屈曲性外装部品にあっては、樹脂材の押し出し成形で低コストに成形可能であるが、複数の線条材を内側に配置した後、各周壁３６を突起と孔との差込み３４で係止させるのに多くの手間がかかるという問題や、外装部品３１の材質が柔軟であるために、突起と孔との係合だけでは係止強度が不足し、係止外れにより内側の線条材が飛び出す懸念があり、テープ巻き等で補強した場合に、封止のための時間やコストがかかるという問題があった。
【０００６】
本発明は、上記した点に鑑み、線条体等の物品を少ない工数で容易に収容することができ、また、物品の飛び出し防止のための係止構造やテープ巻き等が不要で、低コストで使用に供することのできる屈曲性外装部品を提供することを目的とする。
【課題を解決するための手段】
【０００７】
上記目的を達成するために、本発明の請求項１に係る屈曲性外装部品は、収容空間を囲む厚肉の壁部と、該厚肉の壁部の一端に一体に続き、該厚肉の壁部の他端に接離自在に接する弾性の薄肉の壁部と、該厚肉の壁部を収容空間長手方向に複数に分割する並列なスリットとを備えたことを特徴とする。
【０００８】
上記構成により、薄肉の壁部が外向きに撓んで、電線等の物品が厚肉の壁部の他端と薄肉の壁部との間から収容空間内に挿入され、挿入後は薄肉の壁部が弾性的に内向きに復帰して、厚肉の壁部の他端と薄肉の壁部との間の隙間を塞ぎ（閉止し）、物品の飛び出しを阻止する。スリットで複数に分割された厚肉の壁部は薄肉の壁部を屈曲内側（屈曲基準壁）として、各スリットを開かせつつ一方向に屈曲する。厚肉の壁部は高い剛性を有するから、潰れたりすることがなく、厚肉の壁部による断面半円形や三角形状や矩形状等の筒形状を維持する。
【０００９】
請求項２に係る屈曲性外装部品は、請求項１記載の屈曲性外装部品において、前記厚肉の壁部が第一〜第三の壁部で構成され、前記薄肉の壁部が、第一の壁部の先端から立ち上げられて第二の壁部に対向し、第三の壁部４の先端に対して接離可能に位置したことを特徴とする。
【００１０】
上記構成により、薄肉の第四の壁部が外向きに撓んで、電線等の物品が第三の壁部の先端と第四の壁部との間から収容空間内に挿入され、挿入後は薄肉の壁部が弾性的に復帰して、第三の壁部の先端と第四の壁部との間の隙間を塞ぎ（閉止し）、物品の飛び出しを阻止する。スリットで複数に分割された第一〜第三の壁部は薄肉の壁部を屈曲内側（屈曲基準壁）として、各スリットを開かせつつ一方向に屈曲する。第一〜第三の壁部は厚肉で高い剛性を有するから、潰れたりすることがなく、第一〜第四の壁部による矩形筒形状を維持する。
【００１１】
請求項３に係る屈曲性外装部品は、請求項１又は２記載の屈曲性外装部品において、前記厚肉の壁部の他端側に内向きの傾斜部が形成されたことを特徴とする。
【００１２】
上記構成により、傾斜部の外面に沿って電線等の物品が収容空間内にスムーズに挿入される。傾斜部が先端に薄肉の壁部が接触して閉じる。収容空間内の物品は傾斜部の内面に当接して収容空間内に戻される力を受けることで、飛び出しが確実に阻止される。
【００１３】
請求項４に係る屈曲性外装部品は、請求項１〜３の何れかに記載の屈曲性外装部品において、前記薄肉の壁部に接して前記厚肉の壁部の一端側に、前記スリットに続く孔部が設けられたことを特徴とする。
【００１４】
上記構成により、孔部を中心としてスリットがスムーズに開いて、各厚肉の壁部（各第一〜第三の壁部）の屈曲がスムーズに行われる。また、スリットが開いた際に、孔部の周囲に応力が分散されて、薄肉の壁部への亀裂の発生等が防止される。
【発明の効果】
【００１５】
請求項１記載の発明によれば、薄肉の壁部を外側に撓ませて厚肉の壁部との隙間から電線等の物品を収容空間内に挿入することで、物品を少ない工数で容易に収容することができる。また、薄肉の壁部が弾性的に復帰して厚肉の壁部との隙間を閉じるから、従来のような壁部相互の係止手段が不要となり、構造が簡素化・低コスト化される。また、厚肉の壁部が剛性を有しているから、物品の飛び出し防止のためのテープ巻き等が不要で、テープ巻き等にかかる工数やコストが削減される。
【００１６】
請求項２記載の発明によれば、薄肉の壁部を外側に撓ませて第三の壁部との隙間から電線等の物品を収容空間内に挿入することで、物品を少ない工数で容易に収容することができる。また、薄肉の壁部が弾性的に復帰して第三の壁部との隙間を閉じるから、従来のような壁部相互の係止手段が不要となり、構造が簡素化・低コスト化される。また、第一〜第三の壁部が厚肉で剛性を有しているから、物品の飛び出し防止のためのテープ巻き等が不要で、テープ巻き等にかかる工数やコストが削減される。
【００１７】
請求項３記載の発明によれば、傾斜部に沿って電線等の物品をスムーズ且つ確実に収容空間内に挿入することができる。また、収容空間内の物品は傾斜部に当たって内向きに戻されて外部への飛び出しが確実に阻止される。
【００１８】
請求項４記載の発明によれば、孔部を中心にスリットをスムーズに開くことができて、外装部材の屈曲性が向上すると共に、薄肉の壁部への亀裂等の発生が防止される。
【発明を実施するための最良の形態】
【００１９】
図１〜図４は、本発明に係る屈曲性外装部品の一実施形態を示すものである。
【００２０】
この屈曲性外装部品１は、合成樹脂材の押し出し成形によって矩形筒状に形成され、上下及び一側（右側）の厚肉の壁部２〜４と、下側の壁部（第一の壁部）２の他側端から一体に立ち上げられた他側（左側）の薄肉の弾性の壁部（第四の壁部）５とを備え、薄肉の壁部５を除く三方の壁部２〜４に周方向の複数本のスリット６が並列に形成され、薄肉の壁部５を屈曲内側として三方の壁部（周壁）２〜４を各スリット６から一方向に屈曲自在としたものである。
【００２１】
図１，図３（ｂ）の如く、垂直な薄肉の壁部５は他の厚肉の壁部２〜４の１／２程度ないしそれ以下の板厚で形成され、図４の如く、下側の水平な壁部２の他側端との交差部７を支点に板厚方向外向きに撓み可能で、弾性的に内向きに原位置に復元自在である。
【００２２】
薄肉の壁部５の上端５ａは上側の水平な壁部（第三の壁部）４の上面と同じ高さに位置し、上側の壁部４の他側部は斜め下向きに傾斜状に屈曲し、この傾斜部８の先端（下端）８ａに薄肉の壁部５の内面５ｂが隙間なく接している（余荷重で弾性的に接してもよい）。図示の如く傾斜部８は嘴のように先が尖っていることが好ましい。傾斜部８の外面８ｂと薄肉の壁部５の上部内面５ｂ’との間に三角形状の隙間９が形成されている。
【００２３】
薄肉の壁部５以外の他の三方の壁部２〜４は剛性を有しており、通常の使用状態では撓むことはない。上下の壁部２，４は平行に対向し、一側の壁部（第二の壁部）３と薄肉の壁部５とは平行に対向して位置している。
【００２４】
図１，図２，図３（ｃ）では外装部材１の長手方向の一部分のみ示しており、実際には薄肉の壁部５は前後方向に長く延長され、薄肉の壁部５の下端部に、各スリット６で分割された上下及び一側の各壁部２〜４でなる正面視コの字状の複数（多数）の並列な周壁１０が直交して一体に続いている。
【００２５】
図１，図２，図３（ｄ）の如く、下側の壁部２には薄肉の壁部５に接する円形（接円状）の孔部１１が複数並列に設けられ、各孔部１１の中央を通って各スリット６が形成されている。孔部１１はスリット開き時の応力を孔周方向に分散して、開き（屈曲）動作を薄肉の壁部５への亀裂等の発生なくスムーズ且つ確実に行わせる。孔部１１はスリット６の開き時に一緒に開いて半円状の溝部１１ａとなる。
【００２６】
スリット６は、下側の壁部２の水平部分６ａと一側の壁部３の垂直部分６ｂと上側の壁部４の水平部分６ｃとでコの字状に形成され、上側の壁部４の他側端の傾斜部８の先端８ａまで連続して続いている。傾斜部８の途中でスリット６ｃを終端させて、傾斜部８の先端８ａ側を支点にスリット６を開かせることも可能である。
【００２７】
スリット６と孔部１１は、樹脂材の押し出し成形で上部他側端９のみを開閉自在な矩形筒状部材を形成した後、矩形筒状部材の状態で（平面状に展開することなく）プレス成形により形成可能である。
【００２８】
例えば、矩形筒状部材の内側空間１２にダイス（図示せず）を挿入し、ダイスに形成された並列なスリット（図示せず）に向けて外部から薄刃状のパンチ（図示せず）を押し込んでスリット６を形成し、同様にダイスに形成された孔部（図示せず）に向けて外部から円柱状のパンチ（図示せず）を押し込んで孔部１１を形成することができる。なお、明細書で前後上下左右の方向性は説明の便宜上のものである。
【００２９】
図２の如く、下側の孔部１１を支点に、一側の壁部３の垂直なスリット部分６ｂが最大に開き、上下の壁部２，４の水平なスリット部分６ａ，６ｃが扇状に開き、他側の薄肉の壁部５は各スリット６ごとに板厚方向に「く」の字ないし湾曲状に屈曲する。外装部材１の屈曲動作は、内部に収容された線条体等の収容物（物品）と共に行われ、屈曲の必要のない部位では外装部材１は真直に配置される。
【００３０】
図４の如く、外装部材１への線条体等の物品１３の挿入動作は、薄肉の壁部５を外向きに撓ませつつ、上側の壁部４の先端８ａとの隙間１４から矢印Ａの如くスムーズ且つ容易に行うことができる。上側の壁部４の先端側の傾斜部８は物品１４を内側空間１２内へ案内するガイドとして作用する。物品１３が収容空間１２内に挿入されると同時に薄肉の壁部５が自らの弾性力で内向きに閉じて上部開口（隙間）１４を塞ぎ、物品１３の飛び出しを阻止する。嘴状の傾斜部８の傾斜状の内面８ｃは内側から外部への物品１３の飛び出しを確実に阻止する。
【００３１】
本例の収容物１３は複数枚のフラット回路体であるが、複数本の絶縁被覆電線やホース等（図示せず）を同様に挿入することができる。幅広のフラット回路体１４に対応して外装部材１の左右の壁部３，５を縦長に形成しているが、電線等の線条体の場合は上下左右の周壁２〜５を正方形状に形成してもよい。
【００３２】
また、外装部材１を断面台形状や三角形状（下側の壁部２を排除し、一側又は他側の壁部３，５を傾斜させる）は半円状等とすることも可能である。押し出し成形であるので、一側の壁部３を外向きに湾曲させて半円状等とすることが可能である。
【００３３】
フラット回路体１４や電線の長手方向両端部は外装部材１の前後端から外部に突出して、接続側に接続される。これら回路体やホース等を外部との干渉から保護する必要のある部位において外装部材１が使用される。
【００３４】
なお、上記実施形態においては、上側の壁部４の先端側に傾斜部８を設けたが、電線等の挿入性は劣るものの、傾斜部８を排除して上側の壁部４の先端を薄肉の壁部５に直交ないし交差して接触させることも可能である。
【００３５】
また、上記実施形態においては、下側の壁部２に、スリット６に続く孔部１１を設けたが、屈曲耐久性は劣るものの、孔部１１を排除してスリット６の終端を薄肉の壁部５の内面５ｂまで延長形成することも可能である。
【図面の簡単な説明】
【００３６】
【図１】本発明に係る屈曲性外装部材の一実施形態を示す斜視図である。
【図２】同じく外装部材の屈曲状態を示す斜視図である。
【図３】同じく外装部材を示す、（ａ）は上面図、（ｂ）は側面図、（ｃ）は正面図、（ｄ）は下面図である。
【図４】外装部材に物品を挿入する状態を示す側面図である。
【図５】従来の屈曲性外装部材の一形態を示す斜視図である。
【符号の説明】
【００３７】
１    屈曲性外装部品
２    第一の壁部（厚肉の壁部）
３    第二の壁部（厚肉の壁部）
４    第三の壁部（厚肉の壁部）
５    薄肉の壁部
６    スリット
８    傾斜部
８ａ  先端
１１  孔部
１２  収容空間
【図１】
2010011649.tif 000003
【図２】
2010011649.tif 000004
【図３】
2010011649.tif 000005
【図４】
2010011649.tif 000006
【図５】
2010011649.tif 000007